(57)【要約】【課題】大小のゴルフバッグを入れることができるとともに、小さなゴルフバックを入れた場合でもゴルフバッグにフィットしてだぶつかないゴルフバッグ用カバーを提供する。【解決手段】ゴルフバッグＧを包むための可撓性シートからなるカバー１０であって、前面側に、ゴルフバッグＧの長手方向に伸びるファスナー１１が設けられているとともに、背面側に、まち１２が設けられ、このまち１２にゴルフバッグＧの取っ手Ｇ１を突出させるための開口１３が設けられており、かつまち１２の両側縁部１２ａ同士を連結するゴムベルト１４が、少なくとも取っ手Ｇ１の長手方向両外側に設けられている。【選択図】        図１
2004254963.tif 000002
【特許請求の範囲】
【請求項１】
ゴルフバッグを包むための可撓性シートからなるカバーであって、
前面側に、ゴルフバッグの長手方向に伸びるファスナーが設けられているとともに、背面側に、まちが設けられ、このまちにゴルフバッグの取っ手を突出させるための開口が設けられており、かつ当該まちの両側縁部同士を連結するゴムベルトが、少なくとも前記取っ手の長手方向両外側に設けられていることを特徴とするゴルフバッグ用カバー。
【発明の詳細な説明】
【０００１】
【発明の属する技術分野】
本発明は、ゴルフバッグを包む（入れる）ための可撓性シートからなる、ゴルフバッグ用カバーに関するものである。
【０００２】
【従来の技術】
従来のゴルフバッグ用カバーとして、可撓性シートからなり、前面側に、ゴルフバッグの長手方向に伸びるファスナーが設けられているとともに、背面側に、ゴルフバッグのショルダーストラップを突出させるための開口が設けられているものが知られている（例えば、特許文献１参照）。
【０００３】
【特許文献１】
実開平４−７１９７０号公報（第１−２図）
【０００４】
【発明が解決しようとする課題】
現在、ゴルフバッグ（キャディバッグ）は、そのサイズ（ロ径）が９．５〜９インチ（プロ仕様）から６．５インチ（小型）のものまで多種売られている。一般用では９〜８．５インチが主流である。
これに対し、従来のゴルフバッグ用カバーは、大きなゴルフバッグのサイズに合せて作られていた。
このため、従来のゴルフバッグ用カバーに比較的小さいサイズ（例えば６．５インチ）のゴルフバッグを入れると、カバーがだぶついて持ち運びしにくかった。
また、ゴルフバックに対してカバーが動くために、ゴルフバッグの表面がカバーとの摩擦で汚れたり傷ついてしまうという問題もあった。
【０００５】
この発明の目的は、以上のような問題を解決し、大小のゴルフバッグを入れることができるとともに、小さなゴルフバックを入れた場合でもゴルフバッグにフィットしてだぶつかないゴルフバッグ用カバーを提供することにある。
【０００６】
【課題を解決するための手段】
上記目的を達成するために請求項１記載のゴルフバッグ用カバーは、ゴルフバッグを包むための可撓性シートからなるカバーであって、
前面側に、ゴルフバッグの長手方向に伸びるファスナーが設けられているとともに、背面側に、まちが設けられ、このまちにゴルフバッグの取っ手を突出させるための開口が設けられており、かつ当該まちの両側縁部同士を連結するゴムベルトが、少なくとも前記取っ手の長手方向両外側に設けられていることを特徴とする。
【０００７】
【作用効果】
請求項１記載のゴルフバッグ用カバーは、ゴルフバッグを包むための可撓性シートからなるカバーであって、前面側に、ゴルフバッグの長手方向に伸びるファスナーが設けられているとともに、背面側に、まちが設けられ、このまちにゴルフバッグの取っ手を突出させるための開口が設けられており、かつ当該まちの両側縁部同士を連結するゴムベルトが、少なくとも前記取っ手の長手方向両外側に設けられているので、このゴルフバッグ用カバーによれば、次のような作用効果が得られる。
すなわち、このカバーをゴルフバッグに被せ（あるいはカバーにゴルフバッグを入れ）、背面側の開口からゴルフバッグの取っ手を突出させ、前面側のファスナーを閉じることにより、ゴルフバッグを包む（あるいはゴルフバッグを入れる）ことができる。
カバーの背面側には、まちが設けられており、かつ当該まちの両側縁部同士を連結するゴムベルトが、少なくとも前記取っ手の長手方向両外側に設けられているので、ゴルフバッグが大型のものである場合には、ファスナーを閉める際に、ゴムベルトが伸びるとともに、まちが開くようにして、大型のゴルフバッグにカバーがフィットした状態となる。また、ゴルフバッグが小型のものである場合には、ファスナーを閉める際に、ゴムベルトが大型のゴルフバッグを入れる場合よりも縮むとともに、まちが閉じるようにして、小型のゴルフバッグにカバーがフィットした状態となる
以上のように、このゴルフバッグ用カバーによれば、大小のゴルフバッグを入れることができるとともに、小さなゴルフバックを入れた場合でもゴルフバッグにフィットしてだぶつかなくなる。
したがって、カバーに入れた状態のゴルフバッグが運びやすくなるとともに、ゴルフバックに対してカバーが動かなくなる（少なくとも非常に動きにくくなる）ので、ゴルフバッグの表面がカバーとの摩擦で汚れたり傷ついてしまうということもなくなる。
【０００８】
【発明の実施の形態】
以下、本発明の実施の形態について図面を参照して説明する。
図１は本発明に係るゴルフバッグ用カバーの一実施の形態を示す図で、（ａ）はゴルフバッグにカバーを掛けてファスナーを閉じる過程を前面側から見た斜視図、（ｂ）はゴルフバッグを完全に包んだ状態を背面側から見た斜視図、（ｃ）は不使用時の収納状態を示す斜視図、（ｄ）は図（ｂ）におけるｄ−ｄ概略断面図、（ｅ）は作用説明図で（ｂ）におけるｄ−ｄ概略断面に相当する図である。図２（Ａ）は図１（ａ）におけるＡ矢視図、図２（Ｂ）は図１（ｂ）におけるＢ矢視図である。
【０００９】
図１に示すように、このゴルフバッグ用カバー１０は、可撓性シート（例えば合成樹脂シート）からなるカバーであって、前面側に、ゴルフバッグＧの長手方向に伸びるファスナー１１が設けられているとともに、背面側に、まち１２が設けられ、このまち１２にゴルフバッグＧの取っ手Ｇ１を突出させるための開口１３が設けられており、かつ当該まち１２の両側縁部１２ａ、１２ａ同士を連結するゴムベルト１４が、少なくとも前記取っ手Ｇ１の長手方向（ゴルフバッグＧの長手方向）の両外側に設けられている。
【００１０】
図１（ｂ）において、１１ａはファスナー１１の始端部であり、この始端部１１ａには、ファスナー１１のスライダの摘み１１ｂ（図（ａ）参照）を摘んでファスナー１１を閉じ始めるときに摘む摘み１５が設けられている。また、ファスナー１１の始端部１１ａには、これを補強しかつ前記開口１３の始端部１３ａを補強するための補強生地１６が前記摘み１５とともに縫い付けてある。この補強生地１６自体もまちを構成しており、この補強生地１６の上にも、まちの両側縁部１２ａ、１２ａ同士を連結するゴムベルト１４ａが設けてある。
【００１１】
前記開口１３は、その始端部１３ａからカバー１０の下端１０ａまで設けられており（図２（Ｂ）参照）、前記ゴムベルト１４，１４は、市販されている殆ど全てのゴルフバッグの取っ手Ｇ１が両ベルト１４，１４の間に入るような位置に、そのような間隔をもって設けられているので、殆ど全てのゴルフバッグの取っ手Ｇ１を、両ベルト１４，１４の間において、前記開口１３から突出させることができる。あるいはゴルフバッグＧの形状によっては、その取っ手Ｇ１の端部が多少ゴムベルト１４，１４のいずれかにさしかかることがあるかもしれないが、ゴムベルト１４は、それ自身収縮するので、取っ手Ｇ１の開口１３からの突出は妨げられない。
【００１２】
カバー１０の一側面には、ファスナー１７ａ付きのポケット１７が設けられている。カバー１０の使用時には、このポケット１７に小物を入れることができる。
また、カバー１０の不使用時には、図（ｃ）に示すように、ポケット１７内にカバー１０を収納することができるようになっている。
【００１３】
図２（Ｂ）に示すように、カバー１０の下部には、金具１８ａ付きの締め付けベルト１８が設けられている。この締め付けベルト１８は、カバー１０の下部をゴルフバッグＧの筒状底部Ｇ２（図１（ａ）および図２（Ａ）参照）に巻き付けるようにして使用し、カバー１０の底部をゴルフバッグＧの筒状底部Ｇ２に強固に固定するためのものである。図２（Ａ）に示すように、締め付けベルト１８の端部１８ｂおよびこれに対応する部位１８ｃにはマジックテープ（登録商標）が設けられている。
なお、図１（ｂ）および図２（Ｂ）において、１９は、バックル１９ａ付きの締め付けベルトであり、カバー１０をより強固にゴルフバッグＧにフィットさせるためのものである。図１（ｂ）において、２０は郵送用伝票等を入れるためのポケットである。
【００１４】
以上のようなゴルフバッグ用カバー１０は、ゴルフバッグＧを包むための可撓性シートからなるカバーであって、前面側に、ゴルフバッグＧの長手方向に伸びるファスナー１１が設けられているとともに、背面側に、まち１２が設けられ、このまち１２にゴルフバッグＧの取っ手Ｇ１を突出させるための開口１３が設けられており、かつ当該まち１２の両側縁部１２ａ同士を連結するゴムベルト１４が、少なくとも前記取っ手Ｇ１の長手方向両外側に設けられているので、このゴルフバッグ用カバー１０によれば、次のような作用効果が得られる。
すなわち、このカバー１０を例えば図１（ａ）に示すようにゴルフバッグＧに被せ、背面側の開口１３からゴルフバッグＧの取っ手Ｇ１を突出させ（図１（ｂ）参照）、前面側のファスナー１１を閉じることにより、ゴルフバッグＧを包む（あるいはゴルフバッグを入れる）ことができる（図１（ｂ）参照）。
カバー１０の背面側には、まち１２が設けられており、かつ当該まち１２の両側縁部１２ａ同士を連結するゴムベルト１４が、少なくとも前記取っ手Ｇ１の長手方向両外側に設けられているので、ゴルフバッグＧが大型のものである場合には、ファスナー１１を閉める際に、図１（ｄ）に示すようにゴムベルト１４が伸びるとともに、まち１２が開くようにして、大型のゴルフバッグにカバー１０がフィットした状態となる。また、ゴルフバッグＧが小型のものである場合には、ファスナー１１を閉める際に、図１（ｅ）に示すようにゴムベルト１４が大型のゴルフバッグを入れる場合よりも縮むとともに、まち１２が閉じるようにして、小型のゴルフバッグにカバー１０がフィットした状態となる
以上のように、このゴルフバッグ用カバー１０によれば、大小のゴルフバッグを入れることができるとともに、小さなゴルフバックを入れた場合でもゴルフバッグにフィットしてだぶつかなくなる。
したがって、カバー１０に入れた状態のゴルフバッグＧがその取っ手Ｇ１をもって運びやすくなるとともに、ゴルフバックＧに対してカバー１０が動かなくなる（少なくとも非常に動きにくくなる）ので、ゴルフバッグＧの表面がカバー１０の内面との摩擦で汚れたり傷ついてしまうということもなくなる。
【００１５】
以上、本発明の実施の形態について説明したが、本発明は上記の実施の形態に限定されるものではなく、本発明の要旨の範囲内において適宜変形実施可能である。
【００１６】
【図面の簡単な説明】
【図１】本発明に係るゴルフバッグ用カバーの一実施の形態を示す図で、（ａ）はゴルフバッグにカバーを掛けてファスナーを閉じる過程を前面側から見た斜視図、（ｂ）はゴルフバッグを完全に包んだ状態を背面側から見た斜視図、（ｃ）は不使用時の収納状態を示す斜視図、（ｄ）は図（ｂ）におけるｄ−ｄ概略断面図、（ｅ）は作用説明図で（ｂ）におけるｄ−ｄ概略断面に相当する図である。
【図２】（Ａ）は図１（ａ）におけるＡ矢視図、図２（Ｂ）は図１（ｂ）におけるＢ矢視図である。
【符号の説明】
Ｇ      ゴルフバッグ
Ｇ１    取っ手
１０    ゴルフバッグ用カバー
１１    ファスナー
１２    まち
１２ａ  側縁部
１３    開口
１４    ゴムベルト
【図１】
2004254963.tif 000003
【図２】
2004254963.tif 000004